(57)【要約】【課題】  コンテンツと広告を関連させながら常に最新の広告を再生させることで広告の効果を向上させ、それによってコンテンツの流通を高めることが可能な新規なコンテンツ再生システムを提供することを目的とする。【解決手段】  暗号化されたコンテンツ２０を提供するコンテンツ提供手段２と、広告情報を提供する広告提供手段３と、暗号化コンテンツを復号するための復号鍵情報を提供する権利付与手段４と、暗号化コンテンツを再生するクライアント端末１から構成され、クライアント端末１は暗号化されたコンテンツ２０を再生する前に広告提供手段３から提供される広告情報をストリーミング再生し、広告情報の再生が完了したことを条件として暗号化されたコンテンツ２０を復号しながら再生する。【選択図】        図１
2009206535.tif 000002
【特許請求の範囲】
【請求項１】
暗号化されたコンテンツを含む配信情報を提供するコンテンツ提供手段と、広告情報を提供する広告提供手段と、暗号化されたコンテンツを復号するための鍵情報を提供する権利付与手段と、コンテンツ再生用ドライバを用いてコンテンツを再生する端末から構成され、
前記端末はコンテンツを再生する前に前記広告提供手段から提供される広告情報をストリーミング再生し、広告情報の再生が完了したことを条件としてコンテンツの再生を実行することを特徴とするコンテンツ再生システム。
【請求項２】
前記配信情報は広告情報取得用宛先情報を含み、
前記端末は、この広告情報取得用宛先情報が指定する前記広告提供手段にアクセスして取得した広告情報をストリーミング再生することを特徴とする請求項１に記載のコンテンツ再生システム。
【請求項３】
前記配信情報は暗号を復号するための鍵情報取得用宛先情報を含み、
前記端末は、この鍵情報取得用宛先情報が指定する前記権利付与手段にアクセスして取得した復号鍵を用いて復号することを特徴とする請求項１に記載のコンテンツ再生システム。
【請求項４】
前記配信情報には、前記コンテンツ再生用ドライバを前記端末にインストールする手段を含むことを特徴とする請求項１に記載のコンテンツ再生システム。
【請求項５】
暗号化されたコンテンツを含む配信情報を提供するコンテンツ提供手段と、広告情報を提供する広告提供手段と、暗号化されたコンテンツを復号するための鍵情報を提供する権利付与手段と、コンテンツ再生用ドライバを用いてコンテンツを再生する端末から構成されるコンテンツ再生システムにおけるコンテンツ再生方法であって、
前記端末は前記コンテンツ提供手段から前記配信情報をダウンロードして、この配信情報の再生を起動し、
前記配信情報は前記端末内にコンテンツ再生用ドライバの有無を検出し、コンテンツ再生用ドライバが存在しない場合にはコンテンツ再生用ドライバを前記端末にインストールし、
コンテンツ再生用ドライバは、前記配信情報に含まれる鍵情報取得用宛先情報を参照して前記権利付与手段から復号鍵を取得するとともに、広告情報取得用宛先情報を参照して前記広告提供手段から取得した広告情報をストリーミング再生し、
広告情報のストリーミング再生が完了した場合には前記配信情報に含まれる暗号化されたコンテンツを前記復号鍵で復号しながら再生し、ストリーミング再生が完了せずに終了した場合には前記暗号化されたコンテンツの再生を中止することを特徴とするコンテンツ再生方法。
【発明の詳細な説明】
【技術分野】
【０００１】
本発明は、コンテンツサーバ等のコンテンツ提供手段からダウンロードした暗号化コンテンツやＣＤ等の記録媒体に記録されている暗号化コンテンツを再生する前に広告情報をストリーミング再生し、広告情報の再生が完了したことを条件として暗号化コンテンツの再生を実行するコンテンツ再生システムと再生方法に関する。
【背景技術】
【０００２】
コンテンツと広告の再生を行う第１の従来技術には、広告の再生を条件としてコンテンツをダウンロードする方法がある（特許文献１）。これは、情報端末がコンテンツのダウンロードを要求する場合には、予め広告表示を行い、広告表示が所定の条件を満たす場合にコンテンツをダウンロードするものである。
【０００３】
またコンテンツと広告の再生を行う第２の従来技術には、コンテンツに含まれる広告を再生してからコンテンツを再生するものがある（特許文献２）。これは、広告情報とその属性が含まれたコンテンツを受信・記録し、そのコンテンツ再生時に上記属性情報に基づいて広告の差し替え要否を判断し、要の場合には新たな広告を取得してコンテンツに含まれる広告を差し替えてからコンテンツを再生することで、いつも新鮮な広告を視聴させることで広告効果を向上させるものである。
【特許文献１】特開２００１−３１２６５２号公報
【特許文献２】特開２００５−１５６９９６号公報
【発明の開示】
【発明が解決しようとする課題】
【０００４】
第１の従来技術は、広告情報の再生が完了した後にコンテンツのダウンロードを行うから、コンテンツの内容と広告内容を関連させることができず、コンテンツの流通価値を高めるような広告を行うことはできないという欠点があった。つまり売り難いコンテンツを広告とセットにすることで売り上げを伸ばしたり、広告を行うことでコンテンツの流通を促進させることができないという欠点があった。第２の従来技術では、広告情報がコンテンツと一緒に記録されているから、第１の従来技術とは逆にコンテンツと広告の関連性が強すぎるので、広告はコンテンツの付属にすぎず、やはり広告の価値を高めることができないので、第１の従来技術と同様に広告によってコンテンツの流通を促進できないという欠点があった。また、このようなコンテンツ埋め込み型広告では、広告情報自体の権利を守ることができないという欠点があった。さらに、いずれの従来技術でも、著作権を保護するためにコンテンツを他人に簡単に流通できず、コンテンツの自然流通が妨げられるという欠点もあった。
【０００５】
本発明は、コンテンツと広告を関連させながら常に最新の広告を再生させることで広告の効果を向上させ、それによってコンテンツの流通を促進させることが可能な新規なコンテンツ再生システムを提供することを目的とする。また、個人間の自然流通を活用することが可能なコンテンツ再生システムを提供することを目的とする。
【課題を解決するための手段】
【０００６】
本発明の請求項１に記載されたコンテンツ再生システムの発明は、暗号化されたコンテンツを含む配信情報を提供するコンテンツ提供手段と広告情報を提供する広告提供手段と暗号化されたコンテンツを復号するための鍵情報を提供する権利付与手段とコンテンツ再生用ドライバを用いてコンテンツを再生する端末から構成され、端末はコンテンツを再生する前に広告提供手段から提供される広告情報をストリーミング再生し、広告情報の再生が完了したことを条件としてコンテンツの再生を実行することを特徴とする。
【０００７】
本発明の請求項２に記載されたコンテンツ再生システムの発明では、配信情報は広告情報取得用宛先情報を含み、端末は、この広告情報取得用宛先情報が指定する広告提供手段にアクセスして取得した広告情報をストリーミング再生することを特徴とする。
【０００８】
本発明の請求項３に記載されたコンテンツ再生システムの発明では、配信情報には暗号化を復号するための鍵情報取得用宛先情報を含み、端末は、この鍵情報取得用宛先情報が指定する権利付与手段にアクセスして取得した復号鍵を用いて暗号復号することを特徴とする。
【０００９】
本発明の請求項４に記載されたコンテンツ再生システムの発明では、例えばコンテンツ提供手段にはコンテンツ再生用ドライバソフトを含み、配信情報には端末にコンテンツ再生用ドライバソフトをインストールする機能を含むことを特徴とする。
【００１０】
本発明の請求項５に記載されたコンテンツ再生方法の発明では、暗号化されたコンテンツを含む配信情報を提供するコンテンツ提供手段と、広告情報を提供する広告提供手段と、暗号化されたコンテンツを復号するための鍵情報を提供する権利付与手段と、コンテンツ再生用ドライバを用いてコンテンツを再生する端末から構成されるコンテンツ再生システムにおけるコンテンツ再生方法であって、前記端末は前記コンテンツ提供手段から前記配信情報をダウンロードして、この配信情報の再生を起動し、前記配信情報は前記端末内にコンテンツ再生用ドライバの有無を検出し、コンテンツ再生用ドライバが存在しない場合にはコンテンツ再生用ドライバを前記端末にインストールし、コンテンツ再生用ドライバは、前記配信情報に含まれる鍵情報取得用宛先情報を参照して前記権利付与手段から復号鍵を取得するとともに、広告情報取得用宛先情報を参照して前記広告提供手段から取得した広告情報をストリーミング再生し、広告情報のストリーミング再生が完了した場合には前記配信情報に含まれる暗号化されたコンテンツを前記復号鍵で復号しながら再生し、ストリーミング再生が完了せずに終了した場合には前記暗号化されたコンテンツの再生を中止することを特徴とする。
【発明の効果】
【００１１】
本発明の請求項１のコンテンツ再生システムの発明によれば、コンテンツを再生する前にコンテンツ提供手段とは異なる広告提供手段から広告をストリーミング再生することにより、常時最新の広告を再生させることができるので、広告効果をより高めることができる。また、広告の再生はダウンロードではなくストリーミングにより行うので、広告情報自体の権利を保護することができる。さらに広告の再生が完了しない限りコンテンツの再生を開始しないようにしたので、コンテンツの再生回数と広告の再生回数を同一にでき、コンテンツの著作権と広告料との対応付けが可能になり、広告料金の一部を確実に著作権者に支払うことができる。
【００１２】
本発明の請求項２のコンテンツ再生システムの発明によれば、コンテンツと広告情報を関連付けることができ、例えば売上の大きいコンテンツには高い広告料金を設定することが可能になるので、コンテンツビジネスを実行し易い効果がある。また逆に、売上の少ないコンテンツでも広告料金の徴収を組み合わせることで低料金か無料でコンテンツを配布することができ、コンテンツの流通を促進することができる。
【００１３】
本発明の請求項３のコンテンツ再生システムの発明によれば、権利付与手段で復号鍵を随時更新することが可能になるので、端末ではいわゆるワンタイムパスワードを使用するのと同じ効果があるため、セキュリティ効果を向上させることができるという効果がある。
【００１４】
本発明の請求項４のコンテンツ再生システムの発明によれば、コンテンツ再生用ドライバソフトを端末に自動的にインストールすることができるので、ユーザの利便性を向上させることができる。またＤＶＤ等の記録媒体に記録したコンテンツを再生することが容易になるので、記録媒体を友人等に譲渡し易くなり、コンテンツの流通を促進させることもできる。
【００１５】
本発明の請求項５のコンテンツ再生方法の発明によれば、端末はコンテンツ提供手段から配信情報をダウンロードして、この配信情報の再生を起動し、配信情報は端末内にコンテンツ再生用ドライバの有無を検出し、コンテンツ再生用ドライバが存在しない場合にはコンテンツ再生用ドライバを前記端末にインストールし、コンテンツ再生用ドライバは、配信情報に含まれる鍵情報取得用宛先情報を参照して権利付与手段から復号鍵を取得するとともに、広告情報取得用宛先情報を参照して広告提供手段から取得した広告情報をストリーミング再生し、広告情報のストリーミング再生が完了した場合には配信情報に含まれる暗号化されたコンテンツを復号鍵で復号しながら再生し、ストリーミング再生が完了せずに終了した場合には暗号化されたコンテンツの再生を中止するように構成されるので、コンテンツを再生する前にコンテンツ提供手段とは異なる広告提供手段から広告をストリーミング再生することにより、常時最新の広告を再生させることができ、広告効果をより高めることができる。また、広告の再生はダウンロードではなくストリーミングにより行うので、広告情報自体の権利を保護することができる。さらに広告の再生が完了しない限りコンテンツの再生を開始しないようにしたので、コンテンツの再生回数と広告の再生回数を同一にでき、コンテンツの著作権と広告料との対応付けが可能になり、広告料金の一部を確実に著作権者に支払うことができる。
【発明を実施するための最良の形態】
【００１６】
図１は本発明のコンテンツ再生システムの構成である。１はユーザがコンテンツを再生するためのクライアント端末で、パソコンの使用が可能である。なお、以下ではクライアント端末のことを単にクライアントと記載する。２は配信情報２０を保存し、クライアント１からの要求に応じてコンテンツを提供するコンテンツ提供手段であり、コンテンツサーバを用いるのが典型例であり、サーバタイプを中心に説明する。配信情報２０には、暗号化されたコンテンツと、それ以外にも多様な情報を含むが、これについては後述する。３は広告情報を保存し、クライアント端末１からの要求に応じて広告情報を提供する広告提供手段であり、広告サーバを用いるのが典型例である。４は暗号化されたコンテンツを復号化するための復号鍵等を含む権利情報４０保存し、クライアント１からの要求に応じて権利情報４０を提供する権利付与手段であり、これもサーバタイプを中心に説明する。権利情報４０の詳細は後述する。
【００１７】
５は暗号化されたコンテンツを含む配信情報２０を作成してコンテンツサーバ１に格納させるコンテンツ生成機である。本発明の配信情報２０には、コンテンツのほかに暗号化鍵取得用宛先情報、広告情報取得用宛先情報、再生用ドライバ自動インストール用ソフト等の各種の情報が含まれるが、コンテンツ生成機５がこれらの情報を含めた配信情報２０を生成してコンテンツサーバ１に保存させるとともに復号化鍵情報を含む権利情報４０を権利サーバ４に保存する。なお、ここではコンテンツ提供手段であるコンテンツサーバ２、広告提供手段である広告サーバ３、権利情報付与手段である権利サーバ４を全て異なるサーバ、つまり異なるハード装置で構成する例を示したが、もちろんそれには限定されない。１つのサーバの中に、コンテンツ提供手段２、広告提供手段３、権利化付与手段４を含めて構成することもできる。要するに、これらの手段を機能的に備えていればよく、ハード構成やサーバの設置位置には限定されない。６はネットワークであり、例えばインターネットが好適であるが、それには限定されない。
【００１８】
クライアント１がコンテンツサーバ１からコンテンツを取得して再生する場合には、クライアント１はネットワーク６を介してコンテンツサーバ１にアクセスして配信情報２０を取得し、この配信情報２０を起動する。配信情報２０の中には広告サーバ３にアクセスするための広告情報取得用宛先情報、例えば広告サーバ３のＵＲＬが含まれるので、クライアント１は広告サーバ３にアクセスして広告をストリーミング再生する。この再生条件は権利化サーバ４からダウンロードした権利情報４０に含まれているので、その再生条件に合致した広告再生が行われたか否かをチェックし、行われた場合には配信情報２０に含まれる鍵情報取得用宛先情報に基づいて権利サーバ４にアクセスして暗号を復号化するための復号鍵を取得し、その復号鍵で暗号化されたコンテンツを復号しながら再生する。この鍵情報取得用宛先情報とは例えば権利サーバ４のＵＲＬが相当する。もし、広告の再生が再生条件を満足するように行われなかった場合、コンテンツの再生を中止・終了する。以上がコンテンツサーバ１からコンテンツをダウンロードする場合であるが、例えば友人等から入手したＤＶＤ等の記録媒体を再生する場合も基本動作は同一である。この場合は、記録媒体の中に広告情報取得用宛先情報や鍵情報取得用宛先情報、暗号化されたコンテンツが記録されていることが必要である。
【００１９】
図２はクライアント１の構成図である。１１はコンテンツを再生するためのコンテンツ再生用ドライバ（以下ドライバという）、１２はドライバに設けた保護エリアである。暗号化したコンテンツを復号化しながら再生するが、この処理はコンテンツを保護エリア１２の中に含めた状態で行う。これは、再生中のコンテンツを第三者から不正に取得されないための処置である。つまり、再生中のコンテンツは暗号化されておらずノーガードの状態で再生されるので、再生中コンテンツを不正にキャプチャされるとコンテンツが不正に複製される危険があるが、それを防止するために復号化されたコンテンツがキャプチャ困難な保護エリア１２内で再生を行う。これに関する処理方法は本発明の骨子ではないが、例えば特開２００５−２１５７８７号公報や特開２００５−２２７９９０号公報に記載の技術を用いることができる。
【００２０】
このドライバは、例えばコンテンツサーバ２からダウンロードすることができる。１３はコンテンツを再生するためのプレーヤーであり、パソコンで通常使用される各種のプレーヤーソフトやＷｅｂブラウザソフトが使用できる。１４は入出力部、１５はクライアントの全体の動作を制御する制御部である。プレーヤー１３は汎用のソフトだが、ドライバ１１からの制御によって本発明特有の動作を行う。例えば、広告再生中は早送りや終了の機能を無効にして（典型的には早送りボタン終了ボタンを選択できなくする）、広告を必ず最後まで視聴するようにすることができる。また再生のために復号化したコンテンツファイルはクライアント１内に残さないようにしてコンテンツの不正コピーを防止したり、コンテンツファイルの別名保存を禁止することができる。さらに、コンテンツ再生前に権利サーバ４にアクセスして再生許可を求め、許可を得たときのみ再生が可能になるようにしてコンテンツの権利を守ることもできる。
【００２１】
図３は本発明のコンテンツ再生方法の動作手順である。まず再生すべきコンテンツを含む配信情報２０を入手する(工程Ｓ１）。コンテンツサーバ２からオンラインで入手する方法とＣＤ、ＤＶＤ等の記録媒体で入手する方法があるが、その方法は問わない。いずれの場合も本発明に含まれる。なお、ここでは配信情報２０のことを単にコンテンツと記載する。クライアント１では入手したコンテンツを起動する（工程Ｓ２）。通常はコンテンツのアイコンをダブルクリックする場合が多いが、起動方法は問わない。コンテンツが起動されたら、そのコンテンツは当該クライアントの中にドライバが含まれているか否かを検出する（工程Ｓ３）。もし、含まれていなければ、クライアント１はコンテンツファイルの中に含まれるドライバ保存先アドレスに自動的にアクセスしてドライバをダウンロードし、そのドライバをインストールする（工程Ｓ４）。ユーザの手を借りずにドライバを自動的にインストールすることにより、例えば記録媒体を知人から譲り受けた場合でも簡単に再生することができる。これが本発明の１つの特徴である。
【００２２】
クライアント１内のドライバ１１は、起動した暗号化コンテンツに含まれる鍵情報取得用宛先情報、つまり権利サーバ４を特定するＵＲＬ等を読み取り、そのＵＲＬに基づいて権利サーバ４にアクセスし、暗号を解読するための復号化鍵やコンテンツ再生条件、広告再生条件等を含む権利情報４０をダウンロードする（工程Ｓ５）。再生しようとするコンテンツが違法なもの、間違いや不適切な表現を含む等の理由により再生に適さないコンテンツの場合には、権利サーバ４は再生を不許可にすることができる。このように、権利情報４０に含まれるコンテンツ再生条件に基づいて、コンテンツの再生の許可／不許可をチェックし（工程Ｓ６）、不許可の場合には再生動作を終了し、許可の場合にはさらに再生動作を続行する。なお、不許可の場合のように、中途段階での処理中止によってコンテンツファイルに問題が生じた場合には、このコンテンツを無効化することができる。
【００２３】
コンテンツ再生条件のチェックは、権利情報４０に含まれるコンテンツ再生条件を用いるだけでなく、権利サーバ４にアクセスして再生許可を受けるような方法を用いることもできる。再生許可を得て再生動作を続行する場合には、再生しようとする暗号化コンテンツをドライバの保護エリア１２に移す（工程Ｓ７）。暗号化コンテンツを保護エリア内で動作させることにより、再生中のコンテンツを違法にキャプチャされることを防止することができ、コンテンツの権利を守ることができる。また、広告情報自体の権利を保護することもできる。
【００２４】
次にコンテンツを再生するためのプレーヤー１３を起動し（工程Ｓ８）、配信情報２０に含まれる広告情報取得用宛先情報である広告サーバ３のＵＲＬを読み取ってその広告サーバ３にアクセスして広告情報をストリーミング再生する（工程Ｓ９）。広告情報をダウンロードではなく、ストリーミング再生することにより、常時最新の広告を再生することができるので広告効果を向上させることができる。
【００２５】
所定の広告再生条件を満足するように広告のストリーミング再生が行われたかどうかをチェックし（工程Ｓ１０）、満足しない場合にはコンテンツの再生動作を中止・終了し、満足する場合にはコンテンツの再生を行う（工程Ｓ１１）。工程Ｓ１０における広告再生条件のチェックは、工程Ｓ５で権利サーバ４からダウンロードした広告再生条件に基づいて行われる。もちろん、再生の都度ダウンロードする必要はなく、予め取得・記憶しておいた広告再生条件を用いることもできるが、その都度ダウンロードする態様にすれば、広告再生条件を随時変更することができるので、さらに便利である。
【００２６】
工程Ｓ１１におけるコンテンツの再生は、ドライバの保護エリア１２に格納した暗号化コンテンツを復号化しながらプレーヤー１３で再生することにより行うが、復号化したコンテンツはメモリ内に残さないようにすることがセキュリティ上望ましい。このようなセキュリティ対策は本発明の骨子ではなく、例えば特開２００５−２１５７８７号公報に記載されているような既存の技術を利用することができる。
【００２７】
以上の動作を実行するためのドライバ１１の機能をまとめると次のとおりである。その１は、暗号化されたコンテンツを復号しながら再生するようにプレーヤー１３を制御し、再生後のコンテンツは保存せずに消去することである。
【００２８】
第２の機能は、暗号化コンテンツをドライバの保護エリア１２の中に格納することである。これによって復号化後のコンテンツの違法キャプチャを防止することができる。
【００２９】
第３の機能は広告再生時にプレーヤー１３の早送りボタンや終了ボタンの選択を無効化することである。これによって、広告をスキップしてコンテンツのみ再生することを防止して広告効果を高めることができる。またコンテンツを再生する場合には、必ず広告を再生するので、コンテンツと広告の関連付けができ、広告料金をコンテンツ製作者や著作権者に確実に支払うことができ、結果的にコンテンツの流通を促進させることができる。
【００３０】
第４の機能は、復号化コンテンツを再生中に、その再生中のコンテンツを不法にキャプチャするようなアプリケーションソフトがクライアント１の中で動作するか否かを検出し、そのようなソフトの動作を検出した場合にはそのソフトを強制的に終了させる。この技術は既に開発されており、例えば特開２００５−２２７９９０号公報に記載された方法を用いることができる。
【００３１】
本発明で用いる配信情報２０の構成の例を図４に示す。これは、暗号化前のコンテンツに基づいてコンテンツ生成機５が生成する。配信情報２０は、暗号化前のコンテンツを暗号化したコンテンツ２１、広告情報取得用宛先情報や鍵情報取得用宛先情報等の制御情報２２、ドライバを入手するための実行プログラム２３から構成される。実行プログラム２３の中にはドライバ入手先アドレス情報を有しているのはもちろんである。この暗号化コンテンツ２０をクライアント１で起動すると、まず実行プログラム２３が動作してクライアント内にドライバがあるか否かを調べ、ドライバがない場合にはこのプログラム内に記録されたドライバ入手先アドレスにアクセスしてドライバを入手してインストールする。またコンテンツ再生の際は、制御情報２２を参照して広告情報のストリーミング再生を行い、また暗号化したコンテンツ２１を解読するための復号化鍵を入手する。この暗号化コンテンツ２０は記録媒体に記録することもできるし、コンテンツサーバ２の中に保存しておくこともできる。
【００３２】
本発明で用いる権利情報４０の構成の例を図５に示す。４１は暗号化されたコンテンツを復号するための復号鍵、４２は広告再生条件、４３はコンテンツ再生条件、４４はコンテンツ再生制御情報である。復号鍵４１はコンテンツの暗号化に使用された暗号鍵と関連して生成されたもので、共通鍵暗号化方式を用いる場合には暗号鍵と同一の鍵を使用し、公開鍵暗号化方式を用いる場合には暗号化鍵とペアで生成される鍵を用いる。広告再生条件４２は、コンテンツの再生前に広告をストリーミング再生する際の条件を示したもので、クライアント１はこの条件を参照して広告が正常に再生されたか否かを判断する。コンテンツ再生条件４３は、コンテンツの再生期間や再生回数等の条件や、配信したファイルに誤りがあったような場合に再生を中止させるような内容が含まれる。
【００３３】
最後にコンテンツ生成機５について述べる。本発明では、暗号化コンテンツ２０の構成がポイントであり、このコンテンツ２０や暗号を解読するための鍵はコンテンツ生成機が生成する。つまり、コンテンツ生成機５は、暗号化する前の生のコンテンツが入力されると、暗号化用の鍵と復号化用の鍵を生成し、生のコンテンツを暗号化用の鍵で暗号化して暗号化したコンテンツ２１を生成する。また、復号化鍵を権利サーバ４に保存するとともに、その権利サーバ４のアドレスを鍵情報取得用宛先情報とし、広告サーバ３のアドレスである広告情報取得用宛先情報と併せて制御情報２２を生成する。さらに、ドライバを保存するサーバの宛先情報を含むドライバ取得用実行プログラム２３を生成し、これらの情報をまとめて暗号化コンテンツ２０を生成してコンテンツサーバ２に保存させるか、ＤＶＤ等の記録媒体を生成する。
【００３４】
以上のように、本発明では、コンテンツの配信はインターネットサイトからのダウンロードだけでなく、雑誌に添付された記録媒体や無料で配布される記録媒体を使用することができる。またメールで送信した暗号化コンテンツをコピーして使用することもできる。さらに最新の広告を配信できるし、広告をインプレッション単位で販売することもできる。
【図面の簡単な説明】
【００３５】
【図１】本発明のシステム構成である。
【図２】本発明のクライアントの構成である。
【図３】本発明のコンテンツ再生手順である。
【図４】本発明の配信情報の構成である。
【図５】本発明の権利情報の構成である。
【符号の説明】
【００３６】
１  クライアント
２  コンテンツサーバ
３  広告サーバ
４  権利サーバ
５  コンテンツ生成機
６  ネットワーク
１１  ドライバ
１２  ドライバの保護エリア
１３  プレーヤー
１５  制御部
２０  暗号化コンテンツ
２１  暗号化したコンテンツ
２２  制御情報
２３  ドライバインストール用実行ソフト
【図１】
2009206535.tif 000003
【図２】
2009206535.tif 000004
【図３】
2009206535.tif 000005
【図４】
2009206535.tif 000006
【図５】
2009206535.tif 000007